(57)【特許請求の範囲】
【請求項１】
製氷機構部と、この製氷機構部で製造された氷を貯蔵する氷貯蔵部と、その製氷機構部から離れたところに位置する冷凍機構部と、これら製氷機構部及び冷凍機構部を連結する配管部及び配線部とを少なくとも備える製氷機を構成するための製氷機用筐体であって、
一面に開放面を有し、氷貯蔵部の４隅に固着される断面コ字形状のシャーシと、
前記氷貯蔵部及び前記シャーシの外側に取り付けられ、前記シャーシの開放面を閉塞するキャビネット板と、を有し、
前記シャーシは、
前記開放面が氷貯蔵部の外側に面する状態で、前記氷貯蔵部の４隅に固着され、
前記配管部及び配線部は、
所定のシャーシにおけるコ字形状の内側に形成された内側空間部に通され、
コ字形状を形成するシャーシの内面と、前記開放面を閉塞するキャビネット板により固定されることを特徴とする製氷機用筐体。
【発明の詳細な説明】
【０００１】
【発明の属する技術分野】
本発明は、製氷機を製造するための製氷機用筐体に関し、特に、低コストで作業性が良く且つ美観に優れた製氷機を製造できる製氷機用筐体に関するものである。
【０００２】
【従来の技術】
製氷機は、例えば特開昭６２−１３８６６４号公報に示すように、氷を貯蔵する氷貯蔵部と、氷貯蔵部の上方に位置する製氷機構部と、氷貯蔵部の下方に位置する冷凍機構部とを備え、製氷機内側の製氷機構部から落下した氷が、下部に配置される氷貯蔵部で貯蔵される。
このような製氷機を構成する製氷機用筐体Ｋ０は、図１３に示すように、例えば架台Ｋ１と、この架台Ｋ１上に載置される樹脂製のストッカＫ２と、そのストッカＫ２の周囲に取り付けられる左右の側板Ｋ３、Ｋ４及び裏板Ｋ５とを備えており、これらストッカＫ２と左右の側板Ｋ３、Ｋ４及び裏板Ｋ５との間には、断熱材としてのウレタン発泡材が充填される。
そして、製氷機構部及び冷凍機構部を結ぶための配管部及び配線部Ｋ６は、裏板Ｋ５の背面に取り付けられ、これら配管部及び配線部Ｋ６を保護する保護カバーＫ７が、裏板Ｋ５の背面側に固着される。また、架台Ｋ１の上部には、ドアーストッパ挿入口Ｋ１ａが設けられており、このドアーストッパ挿入口Ｋ１ａを介して図示しないフロントドアのドアーストッパを製氷機用筐体Ｋ０に取り付けることができる。この架台Ｋ１上部内側にウレタン発泡材の進入防止用ストッパカバーＫ８が取り付けられ、ウレタン発泡材が充填・固化された後に、ドアーストッパ挿入口Ｋ１ａを介して挿入されたドアーストッパの可動範囲を確保する。
【０００３】
【発明が解決しようとする課題】
ところで、これら架台Ｋ１は、鋼板を組み合わせて形成されることが多く、そのため切削加工及び曲げ加工等の他に、溶接作業が必要であって、作業に費やす時間が長くなるとともに、その労力も多大であった。
また、配管部及び配線部Ｋ６及び保護カバーＫ７が裏板Ｋ５の背面に取り付けられるので、配管部及び配線部Ｋ６及び保護カバーＫ７が、製氷機用筐体Ｋ０の背面側から出っ張って、製氷機用筐体Ｋ０の外側に取り付けられるキャビネットの形状が複雑になるとともに、美観が悪くなる。
また、製氷機用筐体Ｋ０が大型化した場合、ウレタン発泡材を充填させる発泡機またはストッカＫ２を成形する樹脂成型機も大型化するので、その型の製氷機の生産台数が少ない場合、設備投資額が膨らんで原価償却が困難な場合もある。
【０００４】
本発明は、上述した問題点を解決するためになされたものであり、低コストで作業性が良く且つ美観に優れた製氷機を製造するための製氷機用筐体を提供することを目的とする。
【０００５】
【課題を解決するための手段】
この目的を達成するために、請求項１に記載の発明によれば、製氷機構部と、この製氷機構部で製造された氷を貯蔵する氷貯蔵部と、その製氷機構部から離れたところに位置する冷凍機構部と、これら製氷機構部及び冷凍機構部を連結する配管部及び配線部とを少なくとも備える製氷機を構成するための製氷機用筐体であって、一面に開放面を有し、氷貯蔵部の４隅に固着される断面コ字形状のシャーシと、前記氷貯蔵部及び前記シャーシの外側に取り付けられ、前記シャーシの開放面を閉塞するキャビネット板と、を有し、前記シャーシは、前記開放面が氷貯蔵部の外側に面する状態で、前記氷貯蔵部の４隅に固着され、前記配管部及び配線部は、所定のシャーシにおけるコ字形状の内側に形成された内側空間部に通され、コ字形状を形成するシャーシの内面と、前記開放面を閉塞するキャビネット板により固定されることを特徴とする。
ここで、製氷機用筐体とは、製氷機を構成するものであって、配管部及び配線部を内側空間部に通すことができるシャーシを氷貯蔵部の４隅に固着したものをいうが、当該シャーシによって製氷機構部及び冷凍機構部等を保持しても良い。
【０００６】
そのため、氷貯蔵部の４隅に固着されるシャーシによって、製氷機用筐体を保持できる。そして、製氷機構部と冷凍機構部とを連結する配管部及び配線部が、所定のシャーシの内側空間部内を通されることにより、従来技術と異なって配管部及び配線部が製氷機用筐体の背面側から出っ張ることはなく、美観が悪くならない。また、従来技術と異なって鋼板を組み合わせて形成される架台を用いないので、低コストで作業性が良くなる。
尚、配管部及び配線部を通すシャーシは、製氷機用筐体の背面側であるの望ましく、また、これらシャーシは例えばコ字状の形状からなるのが望ましい。更に、氷貯蔵部を構成するストッカとして、断熱性に富むストッカを用い、そのストッカの外側４隅にシャーシを取り付ければ、シャーシの内側空間部内に、断熱材を装填する必要もなく、製造コストの低減化を図ることができる。
【０００７】
また、請求項１に記載の製氷機用筐体において、製氷機のフロントドア側の前記シャーシの内側空間部には、フロントドアに取り付けられたドアーストッパが挿入可能であってもよい。
このようにフロントドアのドアーストッパが、シャーシの内側空間部に挿入されるので、わざわざドアーストッパ用の空間部を架台上部内側に形成する必要がない。尚、そのドアーストッパは、フロントドアを製氷機の手前側に大きく開ける場合と、小さく開ける場合の二通りに少なくとも設定できるように構成されているのが望ましい。
【０００８】
また、請求項１に記載の製氷機用筐体において、前記氷貯蔵部を構成するストッカが上下に複数個配置してもよい。この場合、上方側のストッカと下方側のストッカとについて、その素材及び製造方法等を必要に応じて異ならせても良い。
それにより、大型化した製氷機用筐体を製造する場合であっても、個々のストッカを個別に成形する小型の樹脂成型機を一例として使用したり、例えばウレタン発泡材を個々に充填させる小型の樹脂発泡機をそのまま使用すれば足りるので、大型のストッカを一時に形成することができる樹脂成型機及び樹脂発泡機が不要である。
【０００９】
【発明の実施の形態】
以下、本発明の実施の形態を図面を参照にして説明する。図１は第１の実施の形態の製氷機の側面図である。
製氷機１は、図１に示すように、内側上部に配置される製氷機構部２と、製氷機構部２の下方に配置される氷貯蔵部３と、氷貯蔵部３の下方に配置される冷凍機構部４とからなる。その製氷機構部２から落下した氷は、氷貯蔵部３で貯蔵され、冷凍機構部４で冷やされる。そして、利用者はフロントドア５を開けると（一点鎖線で示す）、氷貯蔵部３で貯蔵される氷を取り出すことができる。
その製氷機構部２及び冷凍機構部４は、例えば特開昭６２−１３８６６４号公報に示す構造と同様な構成になっており、製氷機構部２は例えば製氷室、水皿、製氷水タンク等を有し、また、冷凍機構部４は例えば電装盤、凝縮器、圧縮器、脱水機、脱水用電磁弁、ファンモータ等を備えている。もっとも、これら製氷機構部２及び冷凍機構部４の構成は周知であるので、ここでは詳細な説明を省略する。
【００１０】
次に、上記製氷機１を構成する製氷機用筐体６を、図２〜図４を参照して説明する。図２は同実施の形態の氷貯蔵部３を構成するストッカＳＴにシャーシ１１〜１４を取り付ける工程を示す斜視図である。図３は図２の製氷機用筐体６に配管部１６及び配線部１５を取り付け、更にキャビネット板２０を取り付ける工程を示す斜視図である。図４は製氷機用筐体６を構成するシャーシ１１〜１４に、ドアーストッパ１７を取り付ける状態を示した拡大側面図である。
この製氷機用筐体６は、図２に示すように、その左右の側面部７及び側面部８と、裏面部９と、前面部１０とを有するストッカＳＴを備える。その前面部１０は、フロントドア５を取り付けるように、左右の側面部７、８及び裏面部９に比べて高さが低くなっている。
【００１１】
このストッカＳＴは、断熱効果を高めるべく、例えばウレタン発泡材からなるのが望ましい。そのため、ストッカＳＴは治具としての樹脂成形部品と板金部とを組み合わせ、これら組み合わせたものの内部に、ウレタン樹脂を発泡して形成するのが望ましい。これは、ウレタン発泡材等からなる断熱効果を高いストッカＳＴは、それ自体で氷貯蔵部３として機能するからである。
【００１２】
そのストッカＳＴの４隅には、シャーシ（支柱）１１、１２、１３、１４が取り付けられる。この場合、シャーシ１１〜１４は、例えば鋼材を折り曲げて形成されるコ字形状の部材からなるのが望ましい。このようにシャーシ１１〜１４をコ字形状に形成した理由は、図２及び図３に示すように内側空間部１１ａ、１２ａ、１３ａ、１４ａを容易に形成できるとともに、機械的強度が高まるからである。
そして、ストッカＳＴに対するシャーシ１１〜１４の取り付け方法としては、例えばねじ止めによる固着方法を用いれば良い。この場合、冷凍機構部４をストッカＳＴの下方側に設置するべく、図３に示すように、シャーシ１１〜１４は、ストッカＳＴの高さよりも長く、且つ、ストッカＳＴの取り付け位置を高い位置に設定する。
【００１３】
具体的には、図２及び図３に示すように、左側の側面部７の前側及び裏面側には、シャーシ１３、１４がそれぞれ取り付けられ、同様に、右側の側面部８の前側及び裏面側には、シャーシ１１、１２がそれぞれ取り付けられる。
そのため、左側の側面部７のシャーシ１３、１４が当たる部分には、上下に延びる溝部７ａ、７ａが形成され、右側の側面部８のシャーシ１１、１２が当たる部分には、上下に延びる溝部８ａ、８ａが形成されている。そして、溝部７ａ、７ａにシャーシ１３、１４がはまり込むとともに、溝部８ａ、８ａにシャーシ１１、１２がはまり込むので、左側の側面部７、右側の側面部８及び裏面部９全体はフラットになる。
【００１４】
また、シャーシ１４の内側空間部１４ａには、図３に示すように、製氷機構部２と冷凍機構部４とを連結する配線部１５が通される。この配線部１５は、電源供給用配線及び制御用配線（図示せず）を有し、これら電源供給用配線及び制御用配線を介して供給される電圧信号及び制御信号によって、製氷機構部２が動作する。
また、シャーシ１２の内側空間部１２ａには、製氷機構部２と冷凍機構部４とを連結する配管部１６が通される。この配管部１６は、給水配管及び冷媒配管（図示せず）等を有し、これら給水配管及び冷媒配管を介して供給される水及び冷却用の冷媒を用いることにより、製氷機構部２は製氷できる。
【００１５】
尚、配線部１５を製氷機構部２に導くため、シャーシ１４は、上方に切り欠き部１４ｂを備える。また、配管部１６を冷凍機構部４及び製氷機構部２に導くため、シャーシ１２は、その下方に切り欠き部１２ｂを備えるとともに、その上方に切り欠き部１２ｃを備える。
このように配管部１６または配線部１５が、所定（裏面側）のシャーシ１２、１４の内側空間部１２ａ、１４ａ内を通され、切り欠き部１４ｂ、１２ｂ、１２ｃを通されることにより、配線部１５及び配管部１６を冷凍機構部４及び製氷機構部２に結合することができ、図１３に示すように、配管部及び配線部Ｋ６を製氷機用筐体Ｋ２の背面側に設けるのと異なって、製氷機用筐体６の背面側が出っ張ることはない。
【００１６】
また、シャーシ１１、１３の前面側には、フロントドア５の左右両側に設けられた一対のドアーストッパ１７、１７を挿入できるように、挿入口１１ｂ、１３ｂが形成される。そのフロントドア５は、図４に示すように、製氷機１の前面側に取り付けられたヒンジ機構１８によって、シャーシ１１、１３の手前側に回動するように構成されている。
具体的には、各ドアーストッパ１７は、先端がフック状になった円弧形状をなしており、挿入口１１ｂ、１３ｂを介してシャーシ１１、１３の内側空間部１１ａ、１３ａ内に挿入される。この場合、利用者がフロントドア５を製氷機１手前側に開けたり、または閉じたりすると、フロントドア５と一体的に移動するドアーストッパ１７は、図４に示すように、シャーシ１１、１３の内側空間部１１ａ、１３ａ内を円弧状の軌跡を描くように上下動する。
【００１７】
そして、ドアーストッパ１７の先端のフック部１７ａには、スプリング部材１９の一端が取り付けられており、そのスプリング部材１９の他端は、シャーシ１１、１３の内側空間部１１ａ、１３ａの下方部に装着されている（図１参照）ので、スプリング部材１９はフロントドア５を閉じる方向に付勢する。
そのため、利用者がフロントドア５の上方の取っ手（図示せず）を持って手前側に開ける場合、ヒンジ機構１８を介してフロントドア５が自重で手前側に倒れるが、その際スプリング部材１９によって引っ張られることにより、フロントドア５の倒れる速度が緩やかになる。反対に、利用者がフロントドア５の上方の取っ手（図示せず）を持ってフロントドア５を閉じる場合、スプリング部材１９がフロントドア５を引っ張ることにより、フロントドア５を持つ利用者の負担を軽減する。
このようにフロントドア５のドアーストッパ１７が、シャーシ１１、１３の内側空間部１１ａ、１３ａに挿入され、スプリング部材１９が内側空間部１１ａ、１３ａ内に取り付けられるので、図１３に示す如く、ドアーストッパ用カバーＫ８を架台Ｋ１内側に取り付けて、ドアーストッパの移動用の内側空間部をわざわざ形成する必要がなく、製氷機１の製造工程が簡素化される。
そして、利用者は、ストッカＳＴの側面部７に、キャビネット板２０の取り付け、更に側面部８及び裏面部９に図示しないキャビネット側板を取り付けることにより、内側空間部１１ａ、１２ａ、１３ａ、１４ａを塞ぐことができ、配管部１６及び配線部１５をそれぞれ固定することができる。
【００１８】
次に、製氷機１の製造工程について説明する。
最初に、作業者は治具部品等を組み合わせ、その組み合わされたものの内部に、ウレタン発泡してストッカＳＴを形成する他に、鋼材を切断して折り曲げ加工をして、シャーシ１１〜１４を製造する。次に作業者は、成形されたストッカＳＴの４隅にシャーシ１１〜１４をネジ等により固着する。
その後、氷貯蔵部３を構成するストッカＳＴの下方側に冷凍機構部４を配設し、製氷機構部２を同ストッカＳＴの上方に配設する。その状態で、製氷機用筐体６を構成するストッカＳＴの４隅に固着されたシャーシ１１〜１４内の背面側のシャーシ１２、１４の内側空間部１２ａ、１４ａに、配管部１６及び配線部１５をそれぞれ通す。そして、配管部１６及び配線部１５を製氷機構部２及び冷凍機構部４にそれぞれ連結する。
次に、フロントドア５側のシャーシ１１、１３の内側空間部１１ａ、１３ａに、左右のドアーストッパ１７を挿入し、ヒンジ機構１８を取り付けて、フロントドア５の組み付けを行う他、左右のドアーストッパ１７にスプリング部材１９をそれぞれ取り付ける。その後、ストッカＳＴの側面部７に対しキャビネット板２０を取り付けた後、製氷機用筐体６の側面部８、裏面部９及び前面部１０へ図示しないキャビネット板を装着し、更に製氷機構部２の上面側にもキャビネット板を装着する。それにより、製氷機１全体から美観を醸し出すことができる。
【００１９】
以上詳細に説明したように、第１の実施の形態の発明によれば、製氷機構部２、氷貯蔵部３、冷凍機構部４及びこれら製氷機構部２と冷凍機構部４とを連結する配管部１６及び配線部１５を備える製氷機１を構成するための製氷機用筐体６であって、左側面部７、右側面部８、裏面部９及び前面部１０を有するストッカＳＴと、製氷機用筐体６の４隅に固着されるシャーシ１１〜１４と、シャーシ１２、１４の内側空間部１２ａ、１４ａに通される配管部１６及び配線部１５とを備えるので、従来技術と異なって配管部１６及び配線部１５が製氷機用筐体６の背面側から出っ張ることはなく、美観が悪くならない。また、シャーシ１１〜１４を製氷機用筐体６の４隅に固着することにより、冷凍機構部４用の空間を形成するので、図１３に示すような鋼板を組み合わせてなる架台Ｋ１が不要となる。このように架台Ｋ１を用いない場合、鋼材の加工及び組み付け作業が不要となって、低コストで作業性が良くなる。また、図１３に示すストッカＫ２と左右の側板Ｋ３、Ｋ４及び裏板Ｋ５との間に、ウレタン発泡材を充填する場合、発泡材でもって部品相互が繋がって一度組み付けると分解できなくなるが、この実施の形態のように製氷機用筐体６を形成する場合、必要に応じて分解できるので、修理等のメンテナンス時に有用である。
【００２０】
特に、ストッカＳＴの４隅に固着されるシャーシ１１〜１４が、製氷機用筐体６を保持する状態で、製氷機構部２と冷凍機構部４とを連結する配管部１６及び配線部１５が、裏面側のシャーシ１４、１２の内側空間部１４ａ、１２ａ内をそれぞれ通されることにより、フロントドア５側のシャーシ１１、１３の内側空間部１１ａ、１３ａには、フロントドア５の左右両側に設けられた一対のドアーストッパ１７が挿入可能となる。そして、各ドアーストッパ１７は同内側空間部１１ａ、１３ａ内を、既述した如く移動可能であるので、図１３に示す如く、ドアーストッパ用カバーＫ８を架台Ｋ１内側に取り付けたり、ドアーストッパ挿入口Ｋ１ａを架台Ｋ１上部に形成したりする必要がない。
また、断熱性に富むストッカＳＴの外側にシャーシ１１〜１４を取り付けるので、シャーシ１１〜１４内の内側空間部１１ａ〜１４ａ内に、断熱材をわざわざ装填する必要もない。尚、この実施の形態の場合、製氷機用筐体６は、配管部１６及び配線部１５を内側空間部１４ａ、１２ａに通すことができるシャーシ１４、１２と、ドアーストッパ１７を内側空間部１１ａ、１３ａに挿入できるシャーシ１１、１３とをストッカＳＴの４隅に固着したものをいうが、請求項に係る発明の場合、その態様に限定される訳ではないことはいうまでもない。
【００２１】
次に、第２の実施の形態に係る製氷機を構成する製氷機用筐体を、図５を参照して説明する。図５は他の実施の形態の製氷機用筐体３０を示す斜視図である。
この実施の形態は、上述した第１の実施の形態における製氷機用筐体６の形態を変更したものであるが、第１の実施の形態において用いられた部材と共通する部材については、同一の符号を付して、その詳細な説明を省略して変更箇所を主に説明する。
【００２２】
第２の実施の形態と第１の実施の形態との主な相違点としては、ストッカが上下に複数個配置されるか１個のみ配置されるかにすぎない。すなわち、第２の実施の形態の製氷機用筐体３０には、図５に示すように、ストッカＳＴ１及びストッカＳＴ２が上下に複数（この場合２個）配置される。その上方側のストッカＳＴ１は、左右の側面部３１、３２、裏面部３３を有する平面視コ字状をなすのに対し、下方側のストッカＳＴ２は、左右の側面部３５、３６、裏面部３７及び前面部３８を有する箱形状のタンク形状をなす。この場合、上方側のストッカＳＴ１は例えばＡＢＳ樹脂用の樹脂成型機を使用して成形されるのに対して、下方側のストッカＳＴ２は例えばウレタン発泡材用の樹脂発泡機を使用して成形される。
上方側及び下方側ストッカＳＴ１、ＳＴ２の形状が異なる理由は、上方側のストッカＳＴ１の前面側に、大型のフロントドア５を取り付けるためであり、更に、そのフロントドア５が下方側のストッカＳＴ２の前面側一部にかかるため、下方側のストッカＳＴ２の前面部３８は、側面部３５、３６及び裏面部３７に比べて高さが低くなっている。
【００２３】
この場合、下方側のストッカＳＴ２の左右の側面部３５、３６及び裏面部３７の上方には、段部３５ａ、３６ａ、３７ａがそれぞれ形成されており、各段部３５ａ、３６ａ、３７ａには、上方側のストッカＳＴ１の左右の側面部３１、３２及び裏面部３３の下端がそれぞれがはまり込むようになっている。このように上方側及び下方側ストッカＳＴ１、ＳＴ２が、上下に複数個（この場合２個）配置され、相互にはまり合う構造であるので、例えば大型の業務用の製氷機を構成するための製氷機用筐体３０を極めて容易に製造することができる。
【００２４】
尚、上方側のストッカＳＴ１は、その外側に断熱材４１、４２、４３が張り付けられて形成されるのに対し、下方側のストッカＳＴ２は、治具部品を組み合わせ、その組み合わされたものの内部に、ウレタン樹脂を発泡して形成される。これは、下方側のストッカＳＴ２が氷貯蔵部３として機能する場合、氷貯蔵部３に収納される氷の全重量が掛かるため、十分な強度を有するウレタン発泡材からなるのが望ましいのに対し、上方側のストッカＳＴ１は氷貯蔵部３として機能する場合、氷の全重量が掛かる訳ではないので、上方側のストッカＳＴ１の外側に断熱材４１、４２、４３を張り付ける構造を採用して、製造コストの低減等を図るためである。
それにより、製造工程としては、ウレタン樹脂を発泡して下方側のストッカＳＴ２を形成した後に、同ストッカＳＴ２上に、ＡＢＳ樹脂製の上方側のストッカＳＴ１を取り付け、上方側のストッカＳＴ１の外側に断熱材４１、４２、４３を張り付ける工程が採用される。
【００２５】
また、製氷機用筐体３０の４隅には、上方側及び下方側のストッカＳＴ１、ＳＴ２の高さ分の長さを少なくとも有するシャーシ（支柱）４４がそれぞれ固着されるが（この場合１本のシャーシ４４の１部分のみを図示する）、これらシャーシ４４は、鋼材を折り曲げて形成されるコ字形状のものからなり、シャーシ４４に内側空間部４４ａが形成される。この場合も、裏面部３７の左右のシャーシ４４の内側空間部４４ａに、第１の実施の形態と同様に、製氷機構部２と冷凍機構部４とを連結するため、上下に長く延びる配線部１５及び配管部１６が設けられるので、従来技術と異なって、配管部１６及び配線部１５が製氷機用筐体３０の背面側から出っ張ることはない。
【００２６】
従って、大型化した製氷機用筐体３０を製造する場合であっても、従来と同様な小型の樹脂成型機を使用して、ＡＢＳ樹脂製の小型の上方側ストッカを成形し、更に、従来と同様な小型の樹脂発泡機を使用して、ウレタン発泡材からなる下方側ストッカを成形すれば足りるので、大型の樹脂成型機及び大型の樹脂発泡機を使用する必要はない。それにより、大型のストッカを一時に形成できる発泡機または樹脂成型機を購入のための設備投資が不要となる。尚、上方側のストッカＳＴ１と下方側のストッカＳＴ２との個数の合計は、２個以上あっても良い。
【００２７】
次に、第３の実施の形態に係る製氷機を、図６〜図１２を参照して説明する。図６は第３の実施の形態の製氷機１のフロントドア５の開閉状態を、一部を破断して示す側面図である。図７〜図９は、同フロントドアを手前側に大きく開けた場合、小さく開けた場合、閉じた場合のドアーストッパのそれぞれの状態を示す拡大側面図である。図１０は同ドアーストッパをシャーシに取り付ける状態を拡大して示す分解斜視図である。図１１は同ドアーストッパを係止するストッパ部材を拡大して示す分解斜視図である。図１２は同ストッパ部材に用いられるストッパ片の変更例を拡大して示す斜視図である。
【００２８】
第３の実施の形態は、第１の実施の形態のフロントドア５に取り付けられるドアーストッパ及びその取り付け方法を変更したものであるが、第１の実施の形態において用いられた部材と共通する部材については、同一の符号を付して、その詳細な説明を省略する。
【００２９】
第３の実施の形態と第１の実施の形態との主な相違点としては、フロントドア５を製氷機１の手前側に複数段階（図６参照）で開けるか否かの相違にすぎない。すなわち、第１の実施の形態の場合（図１参照）、フロントドア５を製氷機１の手前側に開ける場合にあたって、開ける量が少なく設定されているため、利用者は氷貯蔵部３の奥部の氷をスコップ等で取りにくく、また、氷貯蔵部３の奥部を清掃するのも困難である。それに対し、第３の実施の形態の場合、フロントドア５を製氷機１の手前側に大きく開ける場合（図６の実線）と、小さく開ける場合（例えば図６の１点鎖線）の二通りに設定できるように、図７〜図１１に示す如く、ドアーストッパ５０及びその取り付け方法を工夫する。
このようにフロントドア５を手前側に大きく開けた場合では、利用者は氷貯蔵部３の奥の方の氷もスコップ等で取りやすく、また、製氷機１の氷貯蔵部３の奥部の清掃等が容易になる。また、氷貯蔵部３内に氷が十分に入っている場合、フロントドア５を小さく開ければ、氷貯蔵部３から氷がこぼれ落ちることもなく、また、フロントドア５を小さく開けた場合、製氷機１の手前側を通行する際の障害とならない。
【００３０】
次に、フロントドア５をこのように開けるため、ドアーストッパ５０及びその取り付け方法を説明する。フロントドア５の左右側部に取り付けられたドアーストッパ５０は、図１０に示すように円弧形状をなし、挿入口１１ｂ、１３ｂを介してシャーシ１１、１３の内側空間部１１ａ、１３ａに回動自在に挿入される。そして、各ドアーストッパ５０の先端には、第１の実施の形態と同様に、スプリング部材１９の一端が取り付けられ、フロントドア５を閉じる方向に付勢する。尚、図７〜図１０はフロントドア５の右側に取り付けられたドアーストッパ５０及びシャーシ１１のみを示すが、フロントドア５の左側に取り付けられたドアーストッパ５０及びシャーシ１３は、右側のものと対照形状をなすので、図示を省略する。
【００３１】
そのドアーストッパ５０の上面側には、図７に示すように、段部５０ａが形成されており、この段部５０ａの周囲には、上面弧状部５０ｂが形成される。この上面弧状部５０ｂに対し、シャーシ１１、１３の内側空間部１１ａ、１３ａに取り付けられるストッパ部材５１が摺動できるとともに、段部５０ａにはまり込むことによりドアーストッパ５０を係止できる。
この場合、ストッパ部材５１は、図１０に示すように、コ字状のホルダ５２と、このホルダ５２に取り付けられる先端「く」の字状のストッパ片５３とからなる。そして、ホルダ５２の底面部５２ｂが、シャーシ１１、１３の挿入口１１ｂ、１３ｂ側の側壁部１１ｃ、１３ｃに密着するように、２個のネジ５５によって螺着されるので、ストッパ部材５１のホルダ５２はシャーシ１１、１３の側壁部１１ｃ、１３ｃに固定される。
【００３２】
そのホルダ５２の両側壁部には、図１１に示すように、長穴５２ａがそれぞれ上下に穿設され、ストッパ片５３の基部側壁５３ａを左右に貫通するネジ５４が、各長穴５２ａ内も貫通するので、ストッパ片５３は、図８に示すように、矢印Ｙ１方向に上下動するとともに矢印Ｙ２方向に揺動可能に取り付けられる。尚、ストッパ片５３の先端を重くすることにより、重り部としての機能を果たす。
このようにストッパ片５３は、図８及び図９に示すように、長穴５２ａ内で矢印Ｙ１方向に上下動できるので、シャーシ１１、１３の内側空間部１１ａ、１３ａ内で回動するドアーストッパ５０の上面弧状部５０ｂに沿ってストッパ片５３は摺動し、ストッパ片５３の先端がドアーストッパ５０の段部５０ａと係止したり（図８参照）、段部５０ａから離間したりする（図７及び９参照）。
【００３３】
図９の場合、フロントドア５が製氷機１に閉じられた状態となって、ストッパ片５３は自重で下死点に位置し、ストッパ片５３の先端はドアーストッパ５０の段部５０ａの上方側の上面弧状部５０ｂに当接する。
ここで、利用者が、フロントドア５の上方の取っ手を小さく引くと、フロントドア５がヒンジ機構１８によって手前側に小さく開き（図８参照）、ドアーストッパ５０が内側空間部１１ａ、１３ａからフロントドア５側にわずかに出るので、ストッパ片５３はドアーストッパ５０の上面弧状部５０ｂに沿って徐々に上昇し、ストッパ片５３の先端がドアーストッパ５０の段部５０ａと係止する。この場合、フロントドア５とシャーシ１１、１３との間で形成する角度は、角度Ｑ１をなし、回転が停止状態となる。この場合、利用者はフロントドア５から氷貯蔵部３内に貯蔵された氷を取り出すことができ、また、製氷機１手前側の通行の邪魔にならない。
そして、必要な氷を氷貯蔵部３から十分に取り出した場合、利用者はフロントドア５を製氷機１側に押せばよい。すると、フロントドア５がヒンジ機構１８によって支持されながらドアーストッパ５０と一体的に回転し、ストッパ片５３はドアーストッパ５０の段部５０ａによって押される結果、ストッパ片５３の先端が、ドアーストッパ５０の段部５０ａから外れて、その段部５０ａを乗り越える。その後、ストッパ片５３がドアーストッパ５０の上面弧状部５０ｂに当接し、再びストッパ片５３はドアーストッパ５０の上面弧状部５０ｂによって押されながら、同上面弧状部５０ｂに沿って徐々に摺動するので、図９に示すように、フロントドア５はヒンジ機構１８によって製氷機１を閉じた状態となる。
【００３４】
図８の状態から、利用者がフロントドア５を更に手前側に開くと、ドアーストッパ５０が内側空間部１１ａ、１３ａから更に出る。すると、ストッパ片５３はドアーストッパ５０の段部５０ａから外れて同上面弧状部５０ｂに沿って徐々に上昇する。その後、ストッパ片５３が更に上昇し、ドアーストッパ５０が、図７に示すように、ほとんど内側空間部１１ａ、１３ａから出ると、ストッパ片５３が、同上面弧状部５０ｂから離脱してその自重でもって落下する。
その場合、ドアーストッパ５０の上面弧状部５０ｂの下端が、ホルダ５２の下端Ｒ１（図７参照）に当接するので、ドアーストッパ５０の手前側への回転が停止し、フロントドア５とシャーシ１１、１３との間で形成する角度は、角度Ｑ２をなす。それにより、利用者は氷貯蔵部３の奥の方の氷もスコップ等で取りやすく、また、氷貯蔵部３の奥部の清掃等が容易になる。
【００３５】
その状態から、利用者がフロントドア５を製氷機１側に押すと、ドアーストッパ５０が内側空間部１１ａ、１３ａ内に徐々に入り始める。すると、ドアーストッパ５０の先端がストッパ片５３を押して、ドアーストッパ５０の上面弧状部５０ｂがストッパ片５３を乗り越え始め、ストッパ片５３がドアーストッパ５０の上面弧状部５０ｂに沿って徐々に上昇する。そして、ストッパ片５３の先端がドアーストッパ５０の段部５０ａと係止する場合、図８に示すように、フロントドア５とシャーシ１１、１３との間で形成する角度は角度Ｑ１となり、フロントドア５の回転が停止する。
更に、利用者がフロントドア５を押すと、ドアーストッパ５０が内側空間部１１ａ、１３ａ内に入り、図９の状態になって、フロントドア５が閉じた状態になる。このようなドアーストッパ５０及びストッパ部材５１を設けることにより、フロントドア５を製氷機１の手前側に大きく開ける場合（図６の例えば実線参照）と、小さく開ける場合（図６の例えば１点鎖線参照）の二通りに設定でき、使い勝手の優れたものとなる。
尚、ドアーストッパ５０の段部５０ａを２個以上設けることにより、フロントドア５を製氷機１の手前側の停止位置を２カ所以上に設定してもよい。もっとも、図１１に示すストッパ片５３の形状を、例えば図１２に示す鋳造品のストッパ片５３に変更しても何ら問題はない。
【００３６】
尚、本発明は上述した第１〜第３の実施の形態に限定されるものでなく、その趣旨を逸脱しない範囲で様々な変更が可能である。例えば、上記実施の形態では、製氷機構部２が製氷機用筐体６の上側に位置し、冷凍機構部４が下方側に位置した構成であるが、必ずしもその構成に限った訳では無い。また、氷貯蔵部３の４隅に固着されるシャーシ１１〜１４は、必ずしもコ字状をなす必要はなく、内側空間部１１ａ〜１４ａを有し且つ十分な強度を有すれば、例えばＬ字形状、円筒形状等であっても良い。また、ストッカＳＴ、ＳＴ１、ＳＴ２の形状及び構造についても、上記実施の形態以外のものを用いても良いことは言うまでもない。
【００３７】
また、シャーシは、左右方向及び斜め方向に延設されても良いし、必要に応じて氷貯蔵部３の４隅以外の部分にも設けられていても良い。そして、配管部及び配線部を通すためのシャーシ、及び、ドアーストッパを挿入するシャーシに限って内側空間部を有すれば足り、それ以外のシャーシについては内側空間部を有しないものを採用しても良いことは言うまでもない。
また、製氷機を製造するための製氷機用筐体は、例えば喫茶店、飲食店等の施設その他の厨房等において使用されるものに限らず、貯蔵用の大型冷凍庫を有するものなどに利用されてもよい。
【００３８】
また、製氷機のフロントドア側の前記シャーシの内側空間部に、フロントドアに取り付けられたドアーストッパが挿入可能な場合、従来技術の如くドアーストッパ用の空間部を架台上部内側に形成する必要がなくなる。
【００３９】
また、前記氷貯蔵部を構成するストッカが上下に複数個配置される場合、大型化した製氷機用筐体を製造する場合であっても、一例として、個々のストッカを個別に成形する樹脂成型機を使用したり、例えばウレタン発泡材を個々に充填させる発泡機をそのまま使用すれば足り、従来技術と同様な小型のものをそのまま使用できる。従って、大型のストッカを一時に形成できる発泡機または樹脂成型機は不要であるので、かかる発泡機または樹脂成型機のための設備投資が不要となる。
【００４０】
【発明の効果】
以上、説明したことから明らかなように、請求項１に記載の製氷機用筐体によれば、製氷機構部と、この製氷機構部で製造された氷を貯蔵する氷貯蔵部と、その製氷機構部から離れたところに位置する冷凍機構部と、これら製氷機構部及び冷凍機構部を連結する配管部及び配線部とを少なくとも備える製氷機を構成するための製氷機用筐体であって、その氷貯蔵部の４隅に固着されるシャーシと、所定のシャーシに設けられた内側空間部内に通される配管部及び配線部とを備えたので、氷貯蔵部の４隅に固着されるシャーシによって、製氷機用筐体が保持される状態で、配管部及び配線部を所定のシャーシの内側空間部内を通すため、従来技術の如く配管部及び配線部が製氷機用筐体の背面側から出張ることはない。それにより、この発明の製氷機は美観に優れ、また、従来技術の様に鋼板を組み合わせて形成される架台を用いないので、低コストで作業性が良くなる。
【図面の簡単な説明】
【図１】 第１の実施の形態の製氷機の側面図である。
【図２】 同実施の形態の氷貯蔵部を構成するストッカにシャーシを取り付ける工程を示す斜視図である。
【図３】 図２の製氷機用筐体に配管部及び配線部を取り付け、更にキャビネット側板を取り付ける工程を示す斜視図である。
【図４】 製氷機用筐体を構成するシャーシに、ドアーストッパを取り付けた状態を示した拡大側面図である。
【図５】 第２の実施の形態の製氷機用筐体を示す斜視図である。
【図６】 第３の実施の形態の製氷機のフロントドアの開閉状態を、一部を破断して示す側面図である。
【図７】 同フロントドアを手前側に大きく開けた場合のドアーストッパの状態を示す拡大側面図である。
【図８】 同フロントドアを手前側に小さく開けた場合のドアーストッパの状態を示す拡大側面図である。
【図９】 同フロントドアを閉じた場合のドアーストッパの状態を示す拡大側面図である。
【図１０】 同ドアーストッパをシャーシに取り付ける状態を拡大して示す分解斜視図である。
【図１１】 同ドアーストッパを係止するストッパ部材を拡大して示す分解斜視図である。
【図１２】 同ストッパ部材に用いられるストッパの変更例を拡大して示す斜視図である。
【図１３】 従来技術の製氷機用筐体を示す斜視図である。
【符号の説明】
１・・・製氷機，２・・・製氷機構部，３・・・氷貯蔵部，４・・・冷凍機構部
５・・・フロントドア，６、３０・・・製氷機用筐体，ＳＴ・・・ストッカ
１１、１２・・・シャーシ，１３、１４・・・シャーシ，１１ａ、１２ａ・・・内側空間部，１３ａ、１４ａ・・・内側空間部，１５・・・配線部，１６・・・配管部，１７、５０・・・ドアーストッパ，ＳＴ１、ＳＴ２・・・ストッカ
【図１】
0004285821.tif 000002
【図２】
0004285821.tif 000003
【図３】
0004285821.tif 000004
【図４】
0004285821.tif 000005
【図５】
0004285821.tif 000006
【図６】
0004285821.tif 000007
【図７】
0004285821.tif 000008
【図８】
0004285821.tif 000009
【図９】
0004285821.tif 000010
【図１０】
0004285821.tif 000011
【図１１】
0004285821.tif 000012
【図１２】
0004285821.tif 000013
【図１３】
0004285821.tif 000014